(57)【特許請求の範囲】
【請求項１】
顔写真画像データの項目が対応付けられる氏名情報を所定順番で複数記憶する名簿記憶手段と、
上記各氏名情報毎の上記項目に対応して顔写真画像データを記憶する顔写真画像データ記憶手段、
上記名簿記憶手段に記憶された各氏名情報に対応する上記項目を、当該氏名情報の記憶された上記所定順番で順次切換えて指定する項目指定手段と、
上記項目指定手段により上記項目が上記所定順番で切換え指定される毎に、当該指定された項目に対応する顔写真画像データの縮小画像を順次切換え表示させる第１表示制御手段と、
上記第１表示制御手段により上記各氏名情報に対応する縮小画像が順次切換え表示されている過程において、所定の指示操作があったか否かを判別する判別手段と、
上記判別手段で所定の指示操作有りが判別された際は、その時点で表示されている縮小画像対応の上記項目に対応して記憶される顔写真画像データを上記画像データ記憶手段から読み出し、顔写真画像として表示させる第２表示制御手段と、
を具備したことを特徴とする名簿表示装置。
【請求項２】
顔写真画像データの項目が対応付けられる氏名情報を所定順番で複数記憶する名簿記憶手段と、
上記各氏名情報毎の上記項目に対応して顔写真画像データを記憶する顔写真画像データ記憶手段、
上記名簿記憶手段に記憶された各氏名情報に対応する上記項目を、当該氏名情報の記憶された上記所定順番で且つ所定時間間隔で順次切換えて指定する項目指定手段と、
上記項目指定手段により上記項目が上記所定順番で且つ所定時間間隔で切換え指定される毎に、当該指定された項目に対応する顔写真画像データの縮小画像を順次切換え表示させる第１表示制御手段と、
上記第１表示制御手段により上記各氏名情報に対応する縮小画像が順次切換え表示されている過程において、所定の指示操作があったか否かを判別する判別手段と、
上記判別手段で所定の指示操作有りが判別された際は、その時点で表示されている縮小画像対応の上記項目に対応して記憶される顔写真画像データを上記画像データ記憶手段から読み出し、顔写真画像として表示させる第２表示制御手段と、
を具備したことを特徴とする名簿表示装置。
【発明の詳細な説明】
【技術分野】
【０００１】
本発明は、顔写真画像データの項目が対応付けられる氏名情報を複数記憶する名簿を表示する名簿表示装置に関する。
【背景技術】
【０００２】
従来、表計算用のアプリケーションプログラムなどによって様々な表データをセル単位で作成し、出力（表示、印刷など）することができる表処理装置として、ワードプロセッサ（Word Processor）やパーソナルコンピュータ（Personal Computer ）、あるいはエンジニアリングワークステーション（Engineering WorkStation）などがある。
【０００３】
このような表処理装置における表中の各セルに入力される表データの種類としては、数値データ、文字データ以外に、イメージデータ（画像データ）、音声データなどがあり、各セル内にそれらを表示していた。
【発明の開示】
【発明が解決しようとする課題】
【０００４】
しかしながら、このような従来の表処理装置においては、以下に述べるような課題があった。
【０００５】
すなわち、表データ（例えば社員名簿）にイメージデータ（例えば顔写真画像データ）が含まれる場合、通常、イメージデータの表示面積は数値データや文字データのそれよりも大きいため、数値データや文字データをイメージデータの大きさに合わせてセル表示すると、数値データや文字データの表示領域が表示されるデータに比べ大きくなってしまうので見た目にバランスが悪かった。一方、数値データや文字データの大きさに合わせてイメージデータをセル表示した場合には、イメージデータによる表示が小さくて見づらいものとなる。
【０００６】
また、例えば、表データを一覧表示して検索するような場合には、イメージデータの大きさに合わせてセル表示すると、各セルの大きさが大きくなってしまうので、数値データや文字データに合わせてセル表示する場合に比べ画面上に表示されるデータの数が少なくなることとなって見づらく、また、表データ検索がしづらいものになっていた。
【０００７】
本発明は、顔写真画像の項目が対応付けられる氏名情報を複数記憶する名簿を表示する場合の作業性と表示性に優れた名簿表示装置を提供することを課題とする。
【課題を解決するための手段】
【０００８】
請求項１記載の発明は、顔写真画像データの項目が対応付けられる氏名情報を所定順番で複数記憶する名簿記憶手段と、上記各氏名情報毎の上記項目に対応して顔写真画像データを記憶する顔写真画像データ記憶手段、上記名簿記憶手段に記憶された各氏名情報に対応する上記項目を、当該氏名情報の記憶された上記所定順番で順次切換えて指定する項目指定手段と、上記項目指定手段により上記項目が上記所定順番で切換え指定される毎に、当該指定された項目に対応する顔写真画像データの縮小画像を順次切換え表示させる第１表示制御手段と、上記第１表示制御手段により上記各氏名情報に対応する縮小画像が順次切換え表示されている過程において、所定の指示操作があったか否かを判別する判別手段と、上記判別手段で所定の指示操作有りが判別された際は、その時点で表示されている縮小画像対応の上記項目に対応して記憶される顔写真画像データを上記画像データ記憶手段から読み出し、顔写真画像として表示させる第２表示制御手段と、を具備したことを特徴とする。
【０００９】
請求項２記載の発明は、顔写真画像データの項目が対応付けられる氏名情報を所定順番で複数記憶する名簿記憶手段と、上記各氏名情報毎の上記項目に対応して顔写真画像データを記憶する顔写真画像データ記憶手段、上記名簿記憶手段に記憶された各氏名情報に対応する上記項目を、当該氏名情報の記憶された上記所定順番で且つ所定時間間隔で順次切換えて指定する項目指定手段と、上記項目指定手段により上記項目が上記所定順番で且つ所定時間間隔で切換え指定される毎に、当該指定された項目に対応する顔写真画像データの縮小画像を順次切換え表示させる第１表示制御手段と、上記第１表示制御手段により上記各氏名情報に対応する縮小画像が順次切換え表示されている過程において、所定の指示操作があったか否かを判別する判別手段と、上記判別手段で所定の指示操作有りが判別された際は、その時点で表示されている縮小画像対応の上記項目に対応して記憶される顔写真画像データを上記画像データ記憶手段から読み出し、顔写真画像として表示させる第２表示制御手段と、を具備したことを特徴とする。
【発明の効果】
【００１０】
請求項１記載の発明によれば、氏名情報に対応する項目を名簿内での順番に基づいて順次指定し、その指定された項目対応の顔写真画像データの縮小画像を切換え表示し、その切換え表示の過程において所定指示があった場合には、その時点で表示されていた縮小画像対応の項目の顔写真画像を表示するようにしたので、氏名情報の記憶された名簿内を検索する場合は、各氏名情報対応の縮小画像によりその内容を簡易に確認しながら検索することができ、所望する縮小画像が切換表示された段階で所定指示操作を行うことにより、当該縮小画像対応の氏名情報における顔写真画像の実データが読み出されて正規画像として表示されるので、その顔写真画像に間違いがないかどうかを確実に確認できる。
【００１１】
請求項２記載の発明によれば、氏名情報に対応する項目を名簿内での順番に基づいて所定時間間隔で順次切換指定し、その指定された項目対応の顔写真画像データの縮小画像を切換え表示し、その切換え表示の過程において所定指示があった場合には、その時点で表示されていた縮小画像対応の項目の顔写真画像を表示するようにしたので、氏名情報の記憶された名簿内を検索する場合は、各氏名情報対応の縮小画像によりその内容を簡易に確認しながら検索することができ、所望する縮小画像が切換表示された段階で所定指示操作を行うことにより、当該縮小画像対応の氏名情報における顔写真画像の実データが読み出されて正規画像として表示されるので、その顔写真画像に間違いがないかどうかを確実に確認できる。
【発明を実施するための最良の形態】
【００１２】
以下、図を参照して本発明に好適な実施の形態を詳細に説明する。
【００１３】
図１〜図６は、本発明の表処理装置を適用したコンピュータシステムについて示す図である。
【００１４】
まず、構成を説明する。
【００１５】
図１は、本発明を適用したコンピュータシステム１の要部構成を示すブロック図である。
【００１６】
この図１において、コンピュータシステム１は、ＣＰＵ２、入力部３、マウス４、記憶装置５、記憶媒体５ａ、加工用ワークメモリ６、表データファイル７、イメージリーダー８、印刷部９、表示部１０、イメージファイル１１、縮小イメージファイル１２により構成されており、各部はバス１３によって接続されている。
【００１７】
ＣＰＵ（Central Processing Unit ）２は、記憶装置５及び記憶媒体５ａに格納される各種制御プログラムやアプリケーションプログラムなどに従ってコンピュータシステム１の各部を制御する中央演算処理装置である。また、ＣＰＵ２は、入力部３及びマウス４から入力される項目、数値、数式等の各種データを表計算処理により表データファイル７に格納し、後述する表データ指定処理において、指定セルのタイプが、数値か、文字か、或いはイメージかを判別し、その判別したセルタイプに応じて表データファイル７、イメージファイル１１から該当する各データを読み出して、数値、又は文字の場合はそのままのデータを、イメージデータの場合はイメージ記号を、それぞれ指定セルの出力領域に出力する。
【００１８】
入力部３は、図示しないが、ファンクションキー、数値キー、文字キー及び他キーを有し、ユーザーによる各キー入力操作に応じた各種操作信号をＣＰＵ２に出力する。
【００１９】
マウス４は、表示部１０の表示画面１０ａに表示されるアイコンや操作メニュー、或いは表データを構成するセルの選択指定などを行なうポインティングデバイスであり、相対位置座標データ及びクリック信号をＣＰＵ２に出力する。
【００２０】
記憶装置５は、ＣＰＵ２により実行される各種制御プログラムが記憶されている記憶媒体５ａを有しており、この記憶媒体５ａは磁気的、光学的記憶媒体、若しくは半導体メモリで構成されている。この記憶媒体５ａには記憶装置５に固定的に設けられたもの、若しくは着脱自在に装着されるものがあり、上記制御プログラムの他、制御プログラムで処理されたデータ等が記憶される。また、この記憶媒体５ａに記憶するプログラム、データ等は、通信回線等を介して接続された他の機器から受信して記憶する構成にしてもよく、更に、通信回線等を介して接続された他の機器側に上記記憶媒体５ａを備えた記憶装置５を設け、この記憶媒体５ａに記憶されているプログラム、データを通信回線を介して使用する構成にしてもよい。
【００２１】
加工用ワークメモリ６は、ＣＰＵ２によりイメージ表示処理が行なわれる際に、イメージファイル１１から読み出したイメージデータ（例えば、従業員の顔）を展開して、縮小したイメージデータに加工するためのメモリエリアを形成する。
【００２２】
表データファイル７は、ＣＰＵ２により処理される複数のセルデータを配列して構成される表データを格納するメモリであり、格納されるセルデータのデータ構造は図２に示すようになっている。この図２においてセルデータは、表中のセル位置を示すセル座標データ（（Ｘ，Ｙ）の２次元座標）と、当該セルデータの種類を示すセルタイプデータ（０：数値，１：文字，２：イメージなど）と、セル属性データ（文字サイズ（０：８ポイント，１：１０ポイントなど）、書体（０：明朝，１：ゴシックなど）、割付け（０：左詰め，１：中央，２：右詰めなど）、数値書式（０：標準，１：３桁区切り有など））と、入力された数値、文字、イメージの各データ等の実データを格納する領域である入力データとにより構成されている。
【００２３】
イメージリーダー８は、セットされた読み取り対象の原稿上（例えば、従業員の顔写真）を走査して、原稿イメージを所定の解像度で読み取り、イメージデータとしてイメージファイル１１に蓄積する。
【００２４】
印刷部９は、ＣＰＵ２を介して入力される印刷データ（例えば、表データなど）を指定された色、形式で所定用紙に印刷する。
【００２５】
表示部１０は、ＣＲＴ（Cathode Ray Tube）や液晶ディスプレイなどにより構成されており、ＣＰＵ２を介して入力される画像表示信号を指定された色で画面１０ａに表示する。
【００２６】
イメージファイル１１は、イメージリーダー８により読み取られたイメージデータ（例えば、従業員の顔画像）を複数格納するメモリである。
【００２７】
縮小イメージファイル１２は、ＣＰＵ２によりイメージデータ（例えば、従業員の顔画像）から作成された縮小イメージデータを複数格納するメモリである。
【００２８】
そして、上記説明した表データファイル７、イメージファイル１１は、図３に示すように、表データファイル７のイメージデータの各セルに対応付けられて記憶されている。また、イメージファイル１１と縮小イメージファイル１２も図３に示すように、イメージファイル１１のポインタを介して関連付けられて記憶されている。これにより、マウス４等により画像セルが指定された場合に、当該画像セルに該当する表データファイル７内のイメージデータ、イメージファイル１１内のイメージデータ、縮小イメージファイル１２内の縮小イメージデータの各ファイル間でのデータの読み取り等の応答速度が速くなるようになっている。
【００２９】
以上が本実施の形態におけるコンピュータシステム１の構成である。
【００３０】
なお、イメージファイル１１と表データファイル７は記憶装置５内に設けられた所定の記憶領域であってもよいことは勿論である。
【００３１】
次に、動作を説明する。
【００３２】
本実施の形態のコンピュータシステム１のＣＰＵ２において実行される表データを表示する場合の表データ指定処理について図４に示すフローチャートと図６に示す表示例に基づいて説明する。
【００３３】
この表データ指定処理が開始されると、まず、入力部３或いはマウス４の所定操作（例えば、マウス４によるアイコンのクリック操作）により表示する表データのファイル名が指定されると、その指定信号がＣＰＵ２に出力される。ＣＰＵ２は、入力した指定信号によりその指定されたファイル名の表データを表データファイル７から検索し、その検索した表データのうちセル位置座標値が小さい方からセルデータを取得し（ステップＳ１）、そのセルにおいてセルデータが格納されているか否かを、図２に示したセルデータ構造の内容を参照して判定する（ステップＳ２）。
【００３４】
ステップＳ２の判定の結果、セルデータが格納されていない場合は本処理を終了するが、セルデータが格納されている場合はＣＰＵ２はそのセルデータ内に設定されているセルタイプの内容を参照してセルタイプが数値又は文字タイプか或いはイメージタイプかを判定する（ステップＳ３）。
【００３５】
ステップＳ３の判定の結果、セルタイプが文字又は数値タイプである場合には、その表データファイル７の中のセルデータの入力データ領域に格納されている数値或いは文字データを当該指定セルに表示し（ステップＳ４）、ステップＳ１に戻るが、セルタイプがイメージタイプである場合には、イメージであることを示す記号を生成して当該指定セルに表示して（ステップＳ５）、ステップＳ１に戻る。
【００３６】
そして、表データ内の全セルに対して上記ステップＳ１〜ステップＳ５の処理を繰り返して実行して、各セルへのセルデータの出力処理を行って、ステップＳ２の「セル有り？」の判別処理の結果、セル無しと判別されるまで、本処理を繰り返して行う。
【００３７】
以上のように、表データ指定処理を繰り返し実行することにより、表データを構成する各セルに数値、文字、イメージであることを示す記号の各セルデータが読み出されて表示される。
【００３８】
この表データ指定処理により表示部１０の画面１０ａに表示される表示データの一表示例を図６（Ａ）に示す。この図６（Ａ）は、社員名簿の表データを表示した例であり、項目名として、セル座標Ａ０に「氏名」、セル座標Ｂ０に「顔写真」、セル座標Ｃ０に「所属」が表示され、セル座標Ａ１〜Ａｎには氏名のデータが、セル座標Ｂ１〜Ｂｎには顔写真のデータが、セル座標Ｃ１〜Ｃｎには所属のデータが、それぞれ表示される。ここで、顔写真データは、イメージであることを示す記号（例えば、「Ｇ」など）として表示される。
【００３９】
次に、本実施の形態のコンピュータシステム１のＣＰＵ２におけるイメージデータを表示する場合のイメージ表示処理について図５に示すフローチャートと図６に示す表示例に基づいて説明する。
【００４０】
このイメージ表示処理が開始されると、まず、ステップＳ１１において、表示部１０の画面１０ａに表示されたイメージ列の項目名（例えば、図６（Ａ）のセル座標Ｂ０の顔写真）を、マウス４等のクリック操作により選択指示したか否かを判定する。
【００４１】
このステップＳ１１の判定の結果、イメージ列項目名（例えば、図６（Ａ）のセル座標Ｂ０の顔写真）の選択指示がない場合には、ステップＳ１２に移行する。
【００４２】
ステップＳ１２では、イメージセル（例えば、図６（Ａ）のセル座標Ｂ１〜Ｂｎの顔写真）をマウス等のクリック操作等により選択指示したか否かを判定し、イメージセルの選択がない場合には、本イメージ表示処理を終了するが、イメージセルの選択がある場合（例えば、図６（Ｂ）の画像セルＢ４のクリック操作）には、その選択指示信号がＣＰＵ２に出力される。ＣＰＵ２は入力した選択指示信号に基づいてイメージファイル１１から該当するイメージデータを読み出して（ステップＳ１３）、読み出したイメージデータから画像表示信号を生成し（ステップＳ１４）、この画像表示信号を表示部１０に出力する。そして、表示部１０はこの画像表示信号を入力し、指定した色の画像を表示部１０の画面１０ａに表示（例えば、図６（Ｂ）のＧ１の顔写真イメージ）した（ステップＳ１５）後、本イメージ表示処理を終了する。
【００４３】
一方、ステップＳ１１の判定の結果、マウス４等によるイメージ列項目名（例えば、図６（Ｃ）の「顔写真」（画像セルＢ０））の選択指示がある場合には、ＣＰＵ２は１行目のデータ（例えば、図６（Ａ）のセル座標Ｂ１）を指定し（ステップＳ１６）、縮小イメージファイル１２から該当する縮小イメージデータを取り出して（ステップＳ１７）、所定時間に設定されたタイマをセットする処理（ステップＳ１８）を行う。そして、取り出した縮小イメージデータからＣＰＵ２は縮小画像表示信号を生成して（ステップＳ１９）、この縮小画像表示信号を表示部１０に出力する。表示部１０は入力した縮小画像表示信号を指定された色の縮小画像に変換して表示部１０の画面１０ａに表示（例えば、図６（Ｃ）のＧ２の縮小顔写真イメージ）する（ステップＳ２０）。
【００４４】
その後、表示時間が所定時間を経過（タイムアップ）したか否かの判定（ステップＳ２１）を行い、この判定の結果、表示時間がタイムアップした場合には、次行のデータがあるか否かの判定（ステップＳ２２）を行う。
【００４５】
このステップＳ２２の判定の結果、次行データが無しと判定された場合には、そのまま本イメージ表示処理を終了するが、次行データが有りと判定された場合には、ステップＳ１７に戻り、次行のセルに対応する縮小顔写真データを読み出して表示処理を実行する（ステップＳ１７〜Ｓ２０）。
【００４６】
一方、ステップＳ２１の判定の結果、表示時間がタイムアップしていない場合には、ステップＳ２３に移行して、マウス等によるクリック指示があるか否かを判定する。この判定の結果、クリック指示がない場合には、ステップＳ２０に移行して表示を継続して行うが、クリック指示がある場合には、ＣＰＵ２はイメージファイル１１から該当するイメージデータを読み出して（ステップＳ２４）、取り出したイメージデータから画像表示信号を作成し（ステップＳ２５）、この作成した画像表示信号を表示部１０に出力する。表示部１０は、入力した画像表示信号を指定した色の画像イメージに変換して表示画面１０ａに表示（例えば、図６（Ｂ）のＧ１の画像イメージ）した（ステップＳ２６）後、本イメージ表示処理を終了する。
【００４７】
従って、イメージデータが記憶された「顔写真」のデータ列については、「顔写真」のセル（例えば、図６のＢ１〜Ｂｎ）をクリックすることで縮小イメージが順次表示され、所望の写真が出力された時点で所定のクリック操作するとその本イメージデータを表示することが出来る。
【００４８】
なお、図４及び図５に示すフローチャートに記載した各機能を実現するプログラムは、ＣＰＵ２が読取り可能なプログラムコードの形態で記憶装置５、或いは記憶媒体５ａに記憶されている。
【００４９】
以上説明した本発明に好適なコンピュータシステム１によれば、ＣＰＵ２（判別手段）によりセルデータが画像データ（例えば、図６（Ａ）のＢ１〜Ｂｎのイメージデータ）であることが判別された場合には、ＣＰＵ２（表示制御手段）により画像データであることがイメージであることを示す記号（識別情報）が生成され、この生成された記号が表示部１０（表示手段）の該当する画像セルに表示される。
【００５０】
従って、画像データは表示部１０（表示手段）の当該画像セルに記号表示できるので、文字データや数字データに基づいて一覧表示する場合には、表示部１０（表示手段）に効率良く表示することが出来ることとなって、表データ処理の作業性が向上する。
【００５１】
また、入力部３（指定手段）又はマウス４（指定手段）により記号表示された任意の画像セル（例えば、図６（Ｂ）の画像セルＢ４）が選択された場合に、当該画像セルに対応する画像データがイメージファイル（表データ記憶手段）から読み出されて画像イメージが生成され、この生成された画像イメージが表示部１０（表示手段）に表示される。
【００５２】
従って、文字データや数字データに基づいて一覧表示する場合には、表示部１０（表示手段）に効率良く表示でき、且つ、ユーザーが画像イメージの表示を所望する場合には、入力部３（指定手段）又はマウス４（指定手段）による所定の操作（例えば、マウス４のクリック操作）に基づいて画像データの持つデータ量の大きさのままの画像イメージを表示することが出来ることとなって、表データ処理の作業性と表示性が向上する。
【００５３】
また、ＣＰＵ２（画像イメージ表示手段）に含まれる画像イメージ連続表示手段により、入力部３（指定手段）又はマウス４（指定手段）による所定の操作（例えば、マウス４のクリック操作）に基づいて画像データから画像イメージが所定の順番で連続的に生成され、生成された各画像イメージが所定時間で連続的に表示手段に表示される。
【００５４】
従って、画像イメージを表示させる場合に、画像セルを１回づつ指定する必要がなく、所定の操作により画像イメージが所定の順番で連続的に表示されることとなって、画像イメージの表示操作を簡単に行うことが出来る。
【００５５】
また、ＣＰＵ２（縮小画像データ生成手段）により画像データを縮小表示する縮小画像データが生成され、縮小イメージファイル１２（縮小画像データ記憶手段）により縮小画像データが表データファイル７（表データ記憶手段）の各画像セルに対応して記憶される。そして、この縮小画像データは、ＣＰＵ２（画像イメージ連続表示手段）により、縮小イメージファイル１２（縮小画像データ記憶手段）から読み出されて縮小画像イメージとして表示部１０（表示手段）に表示される。
【００５６】
従って、表示部１０（表示手段）に表示される画像イメージは縮小されて表示されるので、他のセルデータ（例えば、数値データや文字データ）も画面上で同時に見れることとなって、画像イメージを表示する表示性と数値データ又は文字データの検索を行う作業性との両立が可能となる。
【００５７】
また、ＣＰＵ２（画像イメージ連続表示手段）により縮小画像イメージが表示部１０（表示手段）に連続的に表示されている間に、入力部２（指定手段）又はマウス４（指定手段）による所定の操作（例えば、マウス４のクリック操作）があった場合には、ＣＰＵ２（画像イメージ切換表示手段）により当該操作時に表示部１０（表示手段）に表示されている縮小画像イメージに基づく画像イメージが生成され、この画像イメージが表示部１０（表示手段）に表示される。
【００５８】
従って、ユーザーが希望する縮小画像イメージが出現した場合には、縮小画像イメージから画像イメージ（縮小されていない画像イメージ）への切換が可能になることとなって、更に画像データの表示性の優れたものとなる。
【００５９】
以上、本発明を実施の形態に基づいて具体的に説明したが、本発明は上記実施の形態に限定されるものではなく、その要旨を逸脱しない範囲で適宜に変更可能であることは勿論である。
【００６０】
また、上記実施の形態においては、表示部１０の表示画面１０ａに表示される表データについて述べたが、印刷部９によって所定用紙に印刷される表データについても同様のことが言える。
【００６１】
また、上記実施の形態においては、ポインティングデバイスとしてマウスを用いたが、これはマウスに限定されるものではなく、例えば、ペン入力装置やトラックボール、あるいはタッチパッドなどであってもよいことは勿論である。
【００６２】
また、上記実施の形態においては、イメージリーダー８により各担当者の顔画像のイメージデータをイメージファイル１１に取り込む構成としているが、これは前記内容に限定されるものではなく、デジタルカメラなどにより撮影された各担当者の顔画像のイメージデータを通信回線を介して、或いは無線通信などによりイメージファイル１１に取り込む構成としてもよい。
【００６３】
また、上記実施の形態においては、画像セルに格納される画像データを各担当者の顔画像のイメージデータとしているが、それ以外の画像データであってもよいことは勿論である。
【００６４】
また、上記実施の形態においては、画像データは表データファイルと別個のイメージファイルに格納されている構成としたが、表データファイルに直接画像データを取り込む構成のものであってもよい。
【００６５】
また、画像イメージを連続表示するときの表示時間を設定する表示時間設定手段を設け、表示時間を任意に設定してもよい。
【００６６】
また、上記実施の形態においては、画像イメージを連続表示するときの表示の順番は表データファイルに格納された順番としたが、表示の順位を決定する表示順位決定手段を設け、設定した表示順位で表示するようにしてもよい。
【図面の簡単な説明】
【００６７】
【図１】本発明を適用したコンピュータシステムのブロック構成図である。
【図２】図１の表データファイルに格納されるセルデータのデータ構造を示す図である。
【図３】図１の表データファイル、イメージファイル、縮小ファイルの関係を示す図である。
【図４】図１のＣＰＵにおいて実行される表データ指定処理のフローチャートである。
【図５】図１のＣＰＵにおいて実行されるイメージ表示処理のフローチャートである。
【図６】図４及び図５に示す処理により表示画面に表示される表データ内容の一実施例を示す図である。
【符号の説明】
【００６８】
１  コンピュータシステム
２  ＣＰＵ（判別手段、表示制御手段、画像イメージ表示手段、画像イメージ連続表示手段、縮小画像データ生成手段、画像イメージ切換表示手段）
３  入力部（指定手段）
４  マウス（指定手段）
５  記憶装置
５ａ  記憶媒体
６  加工用ワークメモリ
７  表データファイル（表データ記憶手段）
８  イメージリーダー
９  印刷部
１０  表示部（表示手段）
１１  イメージファイル（表データ記憶手段）
１２  縮小イメージファイル（縮小画像データ記憶手段）
１３  バス
【図１】
0003554790.tif 000002
【図２】
0003554790.tif 000003
【図３】
0003554790.tif 000004
【図４】
0003554790.tif 000005
【図５】
0003554790.tif 000006
【図６】
0003554790.tif 000007